(57)【要約】【課題】  画像形成装置内にジョブが放置されることを回避してセキュリティの向上を図る。【解決手段】  画像形成装置は電源をオフする際に電源オフ通知をジョブを特定するジョブ情報と当該画像形成装置を特定する画像形成装置情報とともにネットワーク上のホスト装置に送信し（ステップＳ１）、ホスト装置は電源オフ通知を受け取ると、ジョブを検索し（ステップＳ２）、ジョブの送信依頼を画像形成装置に送信し（ステップＳ３）、画像形成装置はジョブの送信依頼を受け取ると、ジョブをジョブ保存手段から読み出してホスト装置に送信し（ステップＳ４）、ホスト装置はジョブを受け取ると、ジョブを記憶手段に保存した後に（ステップＳ５）、ジョブの保存完了通知を画像形成装置情報で特定される画像形成装置に送信し（ステップＳ６）、画像形成装置はジョブの保存完了通知を受け取ると、ジョブをジョブ保存手段から削除した後に、電源をオフする（ステップＳ７）。【選択図】        図５
2009141509.tif 000002
【特許請求の範囲】
【請求項１】
ホスト装置と、
上記ホスト装置にネットワークを介して接続される画像形成装置とを有し、
上記ホスト装置は、上記ネットワークを介して上記画像形成装置と通信するホスト装置側通信手段と、ジョブを保存する記憶手段と、上記ネットワークを介して接続された画像形成装置が電源をオフする際に、上記画像形成装置から上記ネットワークを介して送信されてくる上記電源をオフすることを通知する電源オフ通知を上記画像形成装置のジョブ保存手段に保存されているジョブを特定するジョブ情報と上記画像形成装置を特定する画像形成装置情報とともに受け取ると、上記ジョブ情報で特定されるジョブを検索し、上記ジョブ情報で特定されたジョブの送信依頼を上記画像形成装置情報で特定される上記画像形成装置にホスト装置を特定するホスト装置情報と上記ジョブ情報とともに上記ホスト装置側通信手段により送信する制御を行い、上記ジョブの送信依頼を受け取った上記画像形成装置から上記送信依頼により指定したジョブを上記画像形成装置を特定する画像形成装置情報とともに受け取ると、受け取ったジョブを記憶手段に保存した後に、上記ジョブの保存完了通知を上記画像形成装置情報で特定される上記画像形成装置に上記ホスト装置側通信手段により送信する制御を行うホスト装置側制御手段を備え、
上記画像形成装置は、ジョブを保存するジョブ保存手段と、上記ネットワークを介して上記ホスト装置と通信する画像形成装置側通信手段と、電源をオフする際に、上記電源をオフすることを通知する電源オフ通知をジョブ保存手段に保存されているジョブを特定するジョブ情報と当該画像形成装置を特定する画像形成装置情報とともに上記ネットワーク上のホスト装置に上記画像形成上記装置側通信手段により送信する制御を行い、上記電源オフ通知を受け取ったホスト装置から、上記ジョブ情報で特定されたジョブの送信依頼を上記ホスト装置を特定するホスト装置情報と上記ジョブ情報とともに受け取ると、上記ジョブ情報により特定されるジョブを上記ジョブ保存手段から読み出して上記ホスト装置情報で特定される上記ホスト装置に上記画像形成装置情報とともに上記画像形成装置側通信手段により送信する制御を行い、上記ジョブを受け取った上記ホスト装置から受け取ったジョブを記憶手段に保存したことを示す上記ジョブの保存完了通知を受け取ると、上記保存完了通知により指定されたジョブを上記ジョブ保存手段から削除した後に、電源をオフする制御を行う画像形成装置側制御手段を備える
ことを特徴とする画像形成システム。
【請求項２】
上記画像形成装置側制御手段は、さらに、上記画像形成装置が電源をオンした際に、上記電源をオフする際に上記ジョブの保存完了通知を送信してきた上記ホスト装置に上記電源をオンすることを通知する電源オン通知を上記画像形成装置情報とともに上記画像形成装置側通信手段により送信する制御を行い、上記電源オン通知を受け取ったホスト装置から上記電源オフの際に受け取ったジョブを上記ジョブを特定するジョブ情報と上記ホスト情報とともに受け取ると、受け取ったジョブを上記ジョブ保存手段に保存した後に、上記ジョブの保存完了通知を上記ホスト情報で特定される上記ホスト装置に上記画像形成装置側通信手段により送信する制御を行い、
上記ホスト装置側制御手段は、さらに、上記画像形成装置が電源をオンした際に、上記電源をオンすることを通知する電源オン通知を上記画像形成装置を特定する画像形成装置情報とともに受け取ると、上記画像形成装置情報で特定される画像形成装置の電源オフの際に上記画像形成装置から受け取って上記記憶手段に記憶したジョブを読み出し、ジョブの送信指示を受け付けて、上記記憶手段から読み出したジョブを上記画像形成装置情報で特定される上記画像形成装置に上記ジョブを特定するジョブ情報と上記ホスト情報とともに上記ホスト装置側通信手段により送信する制御を行う
ことを特徴とする請求項１記載の画像形成システム。
【請求項３】
ホスト装置にネットワークを介して画像形成装置が接続されてなる画像形成システムにおける画像形成装置であって、
ジョブを保存するジョブ保存手段と、
上記ネットワークを介して上記ホスト装置と通信する画像形成装置側通信手段と、
電源をオフする際に、上記電源をオフすることを通知する電源オフ通知をジョブ保存手段に保存されているジョブを特定するジョブ情報と当該画像形成装置を特定する画像形成装置情報とともに上記ネットワーク上のホスト装置に上記画像形成装置側通信手段により送信する制御を行い、上記電源オフ通知を受け取ったホスト装置から、上記ジョブ情報で特定されたジョブの送信依頼を上記ホスト装置を特定するホスト装置情報と上記ジョブ情報とともに受け取ると、上記ジョブ情報により特定されるジョブを上記ジョブ保存手段から読み出して上記ホスト装置情報で特定される上記ホスト装置に上記画像形成装置情報とともに上記画像形成装置側通信手段により送信する制御を行い、上記ジョブを受け取った上記ホスト装置から受け取ったジョブを記憶手段に保存したことを示す上記ジョブの保存完了通知を受け取ると、上記保存完了通知により指定されたジョブを上記ジョブ保存手段から削除した後に、電源をオフする制御を行う画像形成装置側制御手段を備える
ことを特徴とする画像形成装置。
【請求項４】
上記画像形成装置側制御手段は、さらに、電源をオンした際に、上記電源をオフする際に上記ジョブの保存完了通知を送信してきた上記ホスト装置に上記電源をオンすることを通知する電源オン通知を上記画像形成装置情報とともに上記画像形成装置側通信手段により送信する制御を行い、上記電源オン通知を受け取ったホスト装置から上記電源オフの際に受け取ったジョブを上記ジョブを特定するジョブ情報と上記ホスト情報とともに受け取ると、受け取ったジョブを上記ジョブ保存手段に保存した後に、上記ジョブの保存完了通知を上記ホスト情報で特定される上記ホスト装置に上記画像形成装置側通信手段により送信する制御を行う
ことを特徴とする請求項３記載の画像形成装置。
【請求項５】
ホスト装置と、
上記ホスト装置にネットワークを介して接続される画像形成装置とを有し、
上記ホスト装置は、上記ネットワークを介して上記画像形成装置と通信するホスト装置側通信手段と、ジョブを保存する記憶手段と、画像形成装置にジョブを送る際に、ジョブの保存期間を指定する保存期間指定情報と当該ホスト装置を特定するホスト装置情報とともにジョブを上記ホスト装置側通信手段により送信する制御を行い、上記保存期間指定情報とともにホスト装置情報とともに受け取ったジョブをジョブ保存手段に保存し、上記ジョブ保存手段に保存したジョブを上記保存期間指定情報に基づいて管理する上記画像形成装置から、上記ジョブ保存手段に保存したジョブの保存期間が終了した場合に送信されてくる上記ホスト装置情報により特定される上記ホスト装置に上記ジョブの保存期間が終了したことを通知するジョブ保存期間終了通知を上記保存期間が終了したジョブを特定するジョブ情報と上記画像形成装置を特定する画像形成装置情報とともに受け取ると、上記ジョブ情報で特定されるジョブを検索し、上記ジョブ情報で特定されたジョブの送信依頼を上記画像形成装置情報で特定される上記画像形成装置にホスト装置を特定するホスト装置情報と上記ジョブ情報とともに上記ホスト装置側通信手段により送信する制御を行い、上記ジョブ情報で特定されたジョブの送信依頼を上記ホスト装置情報と上記ジョブ情報とともに受け取った上記画像形成装置から、上記送信依頼により指定したジョブを上記画像形成装置情報とともに受け取ると、受け取ったジョブを記憶手段に保存した後に、上記ジョブの保存完了通知を上記画像形成装置情報で特定される上記画像形成装置に上記ホスト装置側通信手段により送信する制御を行うホスト装置側制御手段を備え、
上記画像形成装置は、ジョブを保存するジョブ保存手段と、上記ネットワークを介して上記ホスト装置と通信する画像形成装置側通信手段と、上記ネットワーク上のホスト装置から送信されてくるジョブの保存期間を指定する保存期間指定情報と当該ホスト装置を特定するホスト装置情報とともにジョブとともに受け取ると、受け取ったジョブをジョブ保存手段に保存し、上記ジョブ保存手段に保存したジョブを上記保存期間指定情報に基づいて管理し、上記ジョブ保存手段に保存したジョブの保存期間が終了した場合に、上記ホスト装置情報により特定される上記ホスト装置に上記ジョブの保存期間が終了したことを通知するジョブ保存期間終了通知を上記保存期間が終了したジョブを特定するジョブ情報と画像形成装置を特定する画像形成装置情報とともに上記画像形成装置側通信手段により送信する制御を行い、上記ジョブ保存期間終了通知を上記ジョブ情報と上記画像形成装置情報とともに受け取ったホスト装置から送信されてくる上記ジョブ情報で特定されたジョブの送信依頼を上記ホスト装置を特定するホスト装置情報と上記ジョブ情報とともに受け取ると、上記ジョブ情報により特定されるジョブを上記ジョブ保存手段から読み出して上記ホスト装置情報で特定される上記ホスト装置に上記画像形成装置情報とともに上記画像形成装置側通信手段により送信する制御を行い、上記送信依頼により指定したジョブを上記画像形成装置情報とともに受け取る受け取ったホスト装置から受け取ったジョブを記憶手段に保存した後に送信されてくる上記ジョブの保存完了通知を受け取ると、上記保存完了通知により指定されたジョブを上記ジョブ保存手段から削除する制御を行う画像形成装置側制御手段を備える
ことを特徴とする画像形成システム。
【請求項６】
ホスト装置にネットワークを介して画像形成装置が接続されてなる画像形成システムにおける画像形成装置であって、
ジョブを保存するジョブ保存手段と、
上記ネットワークを介して上記ホスト装置と通信する画像形成装置側通信手段と、
上記ネットワーク上のホスト装置から送信されてくるジョブの保存期間を指定する保存期間指定情報と当該ホスト装置を特定するホスト装置情報とともにジョブとともに受け取ると、受け取ったジョブをジョブ保存手段に保存し、上記ジョブ保存手段に保存したジョブを上記保存期間指定情報に基づいて管理し、上記ジョブ保存手段に保存したジョブの保存期間が終了した場合に、上記ホスト装置情報により特定される上記ホスト装置に上記ジョブの保存期間が終了したことを通知するジョブ保存期間終了通知を上記保存期間が終了したジョブを特定するジョブ情報と画像形成装置を特定する画像形成装置情報とともに上記画像形成装置側通信手段により送信する制御を行い、上記ジョブ保存期間終了通知を上記ジョブ情報と上記画像形成装置情報とともに受け取ったホスト装置から送信されてくる上記ジョブ情報で特定されたジョブの送信依頼を上記ホスト装置を特定するホスト装置情報と上記ジョブ情報とともに受け取ると、上記ジョブ情報により特定されるジョブを上記ジョブ保存手段から読み出して上記ホスト装置情報で特定される上記ホスト装置に上記画像形成装置情報とともに上記画像形成装置側通信手段により送信する制御を行い、上記送信依頼により指定したジョブを上記画像形成装置情報とともに受け取る受け取ったホスト装置から受け取ったジョブを記憶手段に保存した後に送信されてくる上記ジョブの保存完了通知を受け取ると、上記保存完了通知により指定されたジョブを上記ジョブ保存手段から削除する制御を行う画像形成装置側制御手段を
備えることを特徴とする画像形成装置。
【請求項７】
ホスト装置にネットワークを介して画像形成装置が接続されてなる画像形成システムにおける画像形成制御プログラムであって、
画像形成装置が電源をオフする際に、上記電源をオフすることを通知する電源オフ通知をジョブ保存手段に保存されているジョブを特定するジョブ情報と当該画像形成装置を特定する画像形成装置情報とともに上記ネットワーク上のホスト装置に送信する制御を上記画像形成装置に備えられたコンピュータに実行させ、
上記画像形成装置から電源オフ通知を上記ジョブ情報と上記画像形成装置情報とともに受け取ると、上記ジョブ情報で特定されるジョブを検索し、上記ジョブ情報で特定されたジョブの送信依頼を上記画像形成装置情報で特定される上記画像形成装置にホスト装置を特定するホスト装置情報と上記ジョブ情報とともに送信する制御を上記ホスト装置に備えられたコンピュータに実行させ、
上記電源オフ通知を受け取ったホスト装置から、上記ジョブ情報で特定されたジョブの送信依頼を上記ホスト装置情報と上記ジョブ情報とともに受け取ると、上記ジョブ情報により特定されるジョブを上記ジョブ保存手段から読み出して上記ホスト装置情報で特定される上記ホスト装置に上記画像形成装置情報とともに送信する制御を上記画像形成装置に備えられたコンピュータに実行させ、
上記ジョブの送信依頼を受け取った上記画像形成装置から上記送信依頼により指定したジョブを上記画像形成装置情報とともに受け取ると、受け取ったジョブを記憶手段に保存した後に、上記ジョブの保存完了通知を上記画像形成装置情報で特定される上記画像形成装置に送信する制御を上記ホスト装置に備えられたコンピュータに実行させ、
上記ジョブを受け取った上記ホスト装置から上記ジョブの保存完了通知を受け取ると、上記保存完了通知により指定されたジョブを上記ジョブ保存手段から削除した後に、電源をオフする制御を上記画像形成装置に備えられたコンピュータに実行させる
ことを特徴とする画像形成制御プログラム。
【請求項８】
さらに、上記画像形成装置が電源をオンした際に、上記電源をオフする際に上記ジョブの保存完了通知を送信してきた上記ホスト装置に上記電源をオンすることを通知する電源オン通知を上記画像形成装置情報とともに送信する制御を上記画像形成装置に備えられたコンピュータに実行させ、
上記画像形成装置から上記電源オン通知を上記画像形成装置情報とともに受け取ると、上記画像形成装置情報で特定される画像形成装置の電源オフの際に上記画像形成装置から受け取って上記記憶手段に記憶したジョブを読み出し、ジョブの送信指示を受け付けて、上記記憶手段から読み出したジョブを上記画像形成装置情報で特定される上記画像形成装置に上記ジョブを特定するジョブ情報と上記ホスト情報とともに送信する制御を上記ホスト装置に備えられたコンピュータに実行させ、
上記電源オン通知を受け取ったホスト装置から上記ジョブを上記ジョブ情報と上記ホスト情報とともに受け取ると、受け取ったジョブを上記ジョブ保存手段に保存した後に、上記ジョブの保存完了通知を上記ホスト情報で特定される上記ホスト装置に送信する制御を上記画像形成装置に備えられたコンピュータに実行させる
ことを特徴とする請求項７記載の画像形成制御プログラム。
【請求項９】
ホスト装置にネットワークを介して画像形成装置が接続されてなる画像形成システムにおける上記ホスト装置に備えられたコンピュータに実行される画像形成制御プログラムであって、
画像形成装置が電源をオフする際に、上記画像形成装置からネットワークを介して送信されてくる上記電源をオフすることを通知する電源オフ通知を上記画像形成装置のジョブ保存手段に保存されているジョブを特定するジョブ情報と上記画像形成装置を特定する画像形成装置情報とともに受け取ると、上記ジョブ情報で特定されるジョブを検索し、上記ジョブ情報で特定されたジョブの送信依頼を上記画像形成装置情報で特定される上記画像形成装置にホスト装置を特定するホスト装置情報と上記ジョブ情報とともに送信する制御を上記コンピュータに実行させ、
上記ジョブの送信依頼を受け取った上記画像形成装置から上記送信依頼により指定したジョブを上記画像形成装置を特定する画像形成装置情報とともに受け取ると、受け取ったジョブを記憶手段に保存した後に、上記ジョブの保存完了通知を上記画像形成装置情報で特定される上記画像形成装置に送信する制御を上記コンピュータに実行させる
ことを特徴とする画像形成制御プログラム。
【請求項１０】
さらに、画像形成装置が電源をオンした際に、上記電源をオンすることを通知する電源オン通知を上記画像形成装置を特定する画像形成装置情報とともに受け取ると、上記画像形成装置情報で特定される画像形成装置の電源オフの際に上記画像形成装置から受け取って上記記憶手段に記憶したジョブを読み出し、ジョブの送信指示を受け付けて、上記記憶手段から読み出したジョブを上記画像形成装置情報で特定される上記画像形成装置に上記ジョブを特定するジョブ情報と上記ホスト情報とともに送信する制御を上記コンピュータに実行させる
ことを特徴とする請求項９記載の画像形成制御プログラム。
【請求項１１】
ホスト装置にネットワークを介して画像形成装置が接続されてなる画像形成システムにおける上記画像形成装置に備えられたコンピュータに実行される画像形成制御プログラムであって、
電源をオフする際に、上記電源をオフすることを通知する電源オフ通知をジョブ保存手段に保存されているジョブを特定するジョブ情報と当該画像形成装置を特定する画像形成装置情報とともに上記ネットワーク上のホスト装置にを送信する制御を上記コンピュータに実行させ、
上記電源オフ通知を受け取ったホスト装置から、上記ジョブ情報で特定されたジョブの送信依頼を上記ホスト装置を特定するホスト装置情報と上記ジョブ情報とともに受け取ると、上記ジョブ情報により特定されるジョブを上記ジョブ保存手段から読み出して上記ホスト装置情報で特定される上記ホスト装置に上記画像形成装置情報とともに送信する制御を上記コンピュータに実行させ、
上記ジョブを受け取った上記ホスト装置から受け取ったジョブを記憶手段に保存したことを示す上記ジョブの保存完了通知を受け取ると、上記保存完了通知により指定されたジョブを上記ジョブ保存手段から削除した後に、電源をオフする制御を上記コンピュータに実行させる
ことを特徴とする画像形成制御プログラム。
【請求項１２】
さらに、電源をオンした際に、上記電源をオフする際に上記ジョブの保存完了通知を送信してきた上記ホスト装置に上記電源をオンすることを通知する電源オン通知を上記画像形成装置情報とともに送信する制御を上記コンピュータに実行させ、
上記電源オン通知を受け取ったホスト装置から上記電源オフの際に受け取ったジョブを上記ジョブを特定するジョブ情報と上記ホスト情報とともに受け取ると、受け取ったジョブを上記ジョブ保存手段に保存した後に、上記ジョブの保存完了通知を上記ホスト情報で特定される上記ホスト装置に送信する制御を上記コンピュータに実行させる
ことを特徴とする請求項１１記載の画像形成制御プログラム。
【請求項１３】
ホスト装置にネットワークを介して画像形成装置が接続されてなる画像形成システムにおける画像形成制御プログラムであって、
ホスト装置から画像形成装置にジョブを送る際に、ジョブの保存期間を指定する保存期間指定情報と当該ホスト装置を特定するホスト装置情報とともにジョブを送信する制御を上記ホスト装置に備えられたコンピュータに実行させ、
上記ホスト装置から上記保存期間指定情報とともにホスト装置情報とともに受け取ったジョブをジョブ保存手段に保存し、上記ジョブ保存手段に保存したジョブを上記保存期間指定情報に基づいて管理し、上記ジョブ保存手段に保存したジョブの保存期間が終了した場合に、上記ホスト装置情報により特定される上記ホスト装置に上記ジョブの保存期間が終了したことを通知するジョブ保存期間終了通知を上記保存期間が終了したジョブを特定するジョブ情報と画像形成装置を特定する画像形成装置情報とともに送信する制御を上記画像形成装置に備えられたコンピュータに実行させ、
上記画像形成装置から上記ジョブ保存期間終了通知を上記ジョブ情報と上記画像形成装置情報とともに受け取ると、上記ジョブ情報で特定されるジョブを検索し、上記ジョブ情報で特定されたジョブの送信依頼を上記画像形成装置情報で特定される上記画像形成装置にホスト装置を特定するホスト装置情報と上記ジョブ情報とともに送信する制御を上記ホスト装置に備えられたコンピュータに実行させ、
上記ホスト装置から上記ジョブ情報で特定されたジョブの送信依頼を上記ホスト装置情報と上記ジョブ情報とともに受け取ると、上記ジョブ情報により特定されるジョブを上記ジョブ保存手段から読み出して上記ホスト装置情報で特定される上記ホスト装置に上記画像形成装置情報とともに送信する制御を上記画像形成装置に備えられたコンピュータに実行させ、
上記画像形成装置から上記送信依頼により指定したジョブを上記画像形成装置情報とともに受け取ると、受け取ったジョブを記憶手段に保存した後に、上記ジョブの保存完了通知を上記画像形成装置情報で特定される上記画像形成装置に送信する制御を上記ホスト装置に備えられたコンピュータに実行させ、
上記ジョブを受け取った上記ホスト装置から上記ジョブの保存完了通知を受け取ると、上記保存完了通知により指定されたジョブを上記ジョブ保存手段から削除する制御を上記画像形成装置に備えられたコンピュータに実行させ
ことを特徴とする画像形成制御プログラム。
【請求項１４】
ホスト装置にネットワークを介して画像形成装置が接続されてなる画像形成システムにおける上記ホスト装置に備えられたコンピュータにより実行される画像形成制御プログラムであって、
画像形成装置にジョブを送る際に、ジョブの保存期間を指定する保存期間指定情報と当該ホスト装置を特定するホスト装置情報とともにジョブを送信する制御を上記コンピュータに実行させ、
上記保存期間指定情報とともにホスト装置情報とともに受け取ったジョブをジョブ保存手段に保存し、上記ジョブ保存手段に保存したジョブを上記保存期間指定情報に基づいて管理する上記画像形成装置から、上記ジョブ保存手段に保存したジョブの保存期間が終了した場合に送信されてくる上記ホスト装置情報により特定される上記ホスト装置に上記ジョブの保存期間が終了したことを通知するジョブ保存期間終了通知を上記保存期間が終了したジョブを特定するジョブ情報と上記画像形成装置を特定する画像形成装置情報とともに受け取ると、上記ジョブ情報で特定されるジョブを検索し、上記ジョブ情報で特定されたジョブの送信依頼を上記画像形成装置情報で特定される上記画像形成装置にホスト装置を特定するホスト装置情報と上記ジョブ情報とともに送信する制御を上記コンピュータに実行させ、
上記ジョブ情報で特定されたジョブの送信依頼を上記ホスト装置情報と上記ジョブ情報とともに受け取った上記画像形成装置から、上記送信依頼により指定したジョブを上記画像形成装置情報とともに受け取ると、受け取ったジョブを記憶手段に保存した後に、上記ジョブの保存完了通知を上記画像形成装置情報で特定される上記画像形成装置に送信する制御を上記ホスト装置に備えられたコンピュータに実行させる
ことを特徴とする画像形成制御プログラム。
【請求項１５】
ホスト装置にネットワークを介して画像形成装置が接続されてなる画像形成システムにおける上記画像形成装置に備えられたコンピュータにより実行される画像形成制御プログラムであって、
ホスト装置から送信されてくるジョブの保存期間を指定する保存期間指定情報と当該ホスト装置を特定するホスト装置情報とともにジョブとともに受け取ると、受け取ったジョブをジョブ保存手段に保存し、上記ジョブ保存手段に保存したジョブを上記保存期間指定情報に基づいて管理し、上記ジョブ保存手段に保存したジョブの保存期間が終了した場合に、上記ホスト装置情報により特定される上記ホスト装置に上記ジョブの保存期間が終了したことを通知するジョブ保存期間終了通知を上記保存期間が終了したジョブを特定するジョブ情報と画像形成装置を特定する画像形成装置情報とともに送信する制御を上記コンピュータに実行させ、
上記ジョブ保存期間終了通知を上記ジョブ情報と上記画像形成装置情報とともに受け取ったホスト装置から送信されてくる上記ジョブ情報で特定されたジョブの送信依頼を上記ホスト装置を特定するホスト装置情報と上記ジョブ情報とともに受け取ると、上記ジョブ情報により特定されるジョブを上記ジョブ保存手段から読み出して上記ホスト装置情報で特定される上記ホスト装置に上記画像形成装置情報とともに送信する制御を上記コンピュータに実行させ、
上記送信依頼により指定したジョブを上記画像形成装置情報とともに受け取る受け取ったホスト装置から受け取ったジョブを記憶手段に保存した後に送信されてくる上記ジョブの保存完了通知を受け取ると、上記保存完了通知により指定されたジョブを上記ジョブ保存手段から削除する制御を上記コンピュータに実行させ
ことを特徴とする画像形成制御プログラム。
【発明の詳細な説明】
【技術分野】
【０００１】
本発明は、例えば、ホストコンピュータにネットワークを介してプリンタや複写機、ファクシミリ装置あるいは複合機等の複数の画像形成装置が接続されてなる画像形成システム、画像形成装置及び制御プログラムに関する。
【背景技術】
【０００２】
近年、コンピュータネットワークが普及し、多くのオフィスではコンピュータ、プリンタ等の複数台の情報機器を接続したＬＡＮを構築している。コンピュータおよびプリンタ、スキャナ、デジタルカメラなどの周辺機器が普及すると共に、ＬＡＮ等のネットワークも普及しており、ネットワーク上でプリンタ、モデム、画像読取り装置をネットワーク上で共有することによって、ネットワーク上のあらゆる装置を使用できる環境になってきた。
【０００３】
従来から、プリンタなどの印刷装置に対してコンピュータなどのホスト装置から指令を送信して、印刷装置に文字や図形を印刷させたり、印刷の体裁を整えたり、印刷装置自体の設定を行ったりする印刷システムが広く使用されている。
【０００４】
そして、例えば、格納媒体に残存する消去すべき情報が悪意のユーザにより流出してしまう事態を確実に回避させる情報管理をセキュリティよく行える情報管理環境を自在に構築するために、情報をハードディスクで蓄積可能に管理して情報を出力処理する情報処理装置において、各情報の消去状態をブロック管理テーブルを介して個別に管理して、電源オン時に、消去すべき情報が残存するかどうかを判断して、残存する場合には、そのブロックを消去した後、電源状態を電源オン状態に遷移させる構成とすることが提案されている（例えば、特許文献１参照）。
【０００５】
また、ネットワーク接続された端末装置からプリント要求および画像情報データを受信してプリントジョブを実行する画像形成装置において、不揮発性メモリにプリントジョブの処理状態を記憶しておき、遮断されていた電源が回復したときに前記不揮発性メモリ内のプリントジョブの処理状態を参照して、まだ未処理のプリントジョブがある場合に、当該プリントジョブを要求した端末装置に対して、該当する画像情報データを再送するように要求することにより、コストアップを避けつつ、電源復帰後のプリントジョブを円滑に実行することが提案されている（例えば、特許文献２参照）。
【０００６】
【特許文献１】特開２００５−１１７３７７号公報
【特許文献２】特開平１１−１１２７２２号公報
【発明の開示】
【発明が解決しようとする課題】
【０００７】
ところで、大容量の記憶媒体を持たない画像形成装置では、保存しているジョブが長時間放置され、記憶媒体の容量が圧迫される可能性がある。また、ファクシミリ等が付いている画像形成装置は、２４時間電源が入ったままとなることが多い。したがって、セキュリティ機能がない画像形成装置の場合には、画像形成装置内のメモリ（HDD等）に保存しているジョブを外部からアクセスすることで取得されてしまう可能性がある。
【０００８】
そこで、本発明の目的は、上述の如き従来の問題点に鑑み、画像形成装置内にジョブが放置されることを回避し、これによってセキュリティの向上を図ることができるようにした画像形成システム、画像形成装置及び制御プログラムを提供することにある。
【０００９】
本発明の更に他の目的、本発明によって得られる具体的な利点は、以下に説明される実施の形態の説明から一層明らかにされる。
【課題を解決するための手段】
【００１０】
セキュリティの向上を図るために画像形成装置内のジョブをパスワード等でプロテクトすることも考えられるが、画像形成装置内にデータを残さなければ問題ないので、本発明では、画像形成装置が電源をオフにする際、夜間帰宅する際、長期休暇、ある期間が過ぎたとき、指定した日時に、画像形成装置に保存しているデータを保存者のホストに送信することで、画像形成装置内にはジョブが存在しない状態にする。
【００１１】
すなわち、本発明に係る画像形成システムは、ホスト装置と、上記ホスト装置にネットワークを介して接続される画像形成装置とを有し、上記ホスト装置は、上記ネットワークを介して上記画像形成装置と通信するホスト装置側通信手段と、ジョブを保存する記憶手段と、上記ネットワークを介して接続された画像形成装置が電源をオフする際に、上記画像形成装置から上記ネットワークを介して送信されてくる上記電源をオフすることを通知する電源オフ通知を上記画像形成装置のジョブ保存手段に保存されているジョブを特定するジョブ情報と上記画像形成装置を特定する画像形成装置情報とともに受け取ると、上記ジョブ情報で特定されるジョブを検索し、上記ジョブ情報で特定されたジョブの送信依頼を上記画像形成装置情報で特定される上記画像形成装置にホスト装置を特定するホスト装置情報と上記ジョブ情報とともに上記ホスト装置側通信手段により送信する制御を行い、上記ジョブの送信依頼を受け取った上記画像形成装置から上記送信依頼により指定したジョブを上記画像形成装置を特定する画像形成装置情報とともに受け取ると、受け取ったジョブを記憶手段に保存した後に、上記ジョブの保存完了通知を上記画像形成装置情報で特定される上記画像形成装置に上記ホスト装置側通信手段により送信する制御を行うホスト装置側制御手段を備え、上記画像形成装置は、ジョブを保存するジョブ保存手段と、上記ネットワークを介して上記ホスト装置と通信する画像形成装置側通信手段と、電源をオフする際に、上記電源をオフすることを通知する電源オフ通知をジョブ保存手段に保存されているジョブを特定するジョブ情報と当該画像形成装置を特定する画像形成装置情報とともに上記ネットワーク上のホスト装置に上記画像形成上記装置側通信手段により送信する制御を行い、上記電源オフ通知を受け取ったホスト装置から、上記ジョブ情報で特定されたジョブの送信依頼を上記ホスト装置を特定するホスト装置情報と上記ジョブ情報とともに受け取ると、上記ジョブ情報により特定されるジョブを上記ジョブ保存手段から読み出して上記ホスト装置情報で特定される上記ホスト装置に上記画像形成装置情報とともに上記画像形成装置側通信手段により送信する制御を行い、上記ジョブを受け取った上記ホスト装置から受け取ったジョブを記憶手段に保存したことを示す上記ジョブの保存完了通知を受け取ると、上記保存完了通知により指定されたジョブを上記ジョブ保存手段から削除した後に、電源をオフする制御を行う画像形成装置側制御手段を備えることを特徴とする。
【００１２】
本発明に係る画像形成システムにおいて、上記画像形成装置側制御手段は、さらに、上記画像形成装置が電源をオンした際に、上記電源をオフする際に上記ジョブの保存完了通知を送信してきた上記ホスト装置に上記電源をオンすることを通知する電源オン通知を上記画像形成装置情報とともに上記画像形成装置側通信手段により送信する制御を行い、上記電源オン通知を受け取ったホスト装置から上記電源オフの際に受け取ったジョブを上記ジョブを特定するジョブ情報と上記ホスト情報とともに受け取ると、受け取ったジョブを上記ジョブ保存手段に保存した後に、上記ジョブの保存完了通知を上記ホスト情報で特定される上記ホスト装置に上記画像形成装置側通信手段により送信する制御を行い、上記ホスト装置側制御手段は、さらに、上記画像形成装置が電源をオンした際に、上記電源をオンすることを通知する電源オン通知を上記画像形成装置を特定する画像形成装置情報とともに受け取ると、上記画像形成装置情報で特定される画像形成装置の電源オフの際に上記画像形成装置から受け取って上記記憶手段に記憶したジョブを読み出し、ジョブの送信指示を受け付けて、上記記憶手段から読み出したジョブを上記画像形成装置情報で特定される上記画像形成装置に上記ジョブを特定するジョブ情報と上記ホスト情報とともに上記ホスト装置側通信手段により送信する制御を行うものとすることができる。
【００１３】
また、本発明は、ホスト装置にネットワークを介して画像形成装置が接続されてなる画像形成システムにおける画像形成装置であって、ジョブを保存するジョブ保存手段と、上記ネットワークを介して上記ホスト装置と通信する画像形成装置側通信手段と、電源をオフする際に、上記電源をオフすることを通知する電源オフ通知をジョブ保存手段に保存されているジョブを特定するジョブ情報と当該画像形成装置を特定する画像形成装置情報とともに上記ネットワーク上のホスト装置に上記画像形成装置側通信手段により送信する制御を行い、上記電源オフ通知を受け取ったホスト装置から、上記ジョブ情報で特定されたジョブの送信依頼を上記ホスト装置を特定するホスト装置情報と上記ジョブ情報とともに受け取ると、上記ジョブ情報により特定されるジョブを上記ジョブ保存手段から読み出して上記ホスト装置情報で特定される上記ホスト装置に上記画像形成装置情報とともに上記画像形成装置側通信手段により送信する制御を行い、上記ジョブを受け取った上記ホスト装置から受け取ったジョブを記憶手段に保存したことを示す上記ジョブの保存完了通知を受け取ると、上記保存完了通知により指定されたジョブを上記ジョブ保存手段から削除した後に、電源をオフする制御を行う画像形成装置側制御手段を備えることを特徴とする。
【００１４】
本発明に係る画像形成装置において、上記画像形成装置側制御手段は、さらに、電源をオンした際に、上記電源をオフする際に上記ジョブの保存完了通知を送信してきた上記ホスト装置に上記電源をオンすることを通知する電源オン通知を上記画像形成装置情報とともに上記画像形成装置側通信手段により送信する制御を行い、上記電源オン通知を受け取ったホスト装置から上記電源オフの際に受け取ったジョブを上記ジョブを特定するジョブ情報と上記ホスト情報とともに受け取ると、受け取ったジョブを上記ジョブ保存手段に保存した後に、上記ジョブの保存完了通知を上記ホスト情報で特定される上記ホスト装置に上記画像形成装置側通信手段により送信する制御を行うものとすることができる。
【００１５】
本発明に係る画像形成システムは、ホスト装置と、上記ホスト装置にネットワークを介して接続される画像形成装置とを有し、上記ホスト装置は、上記ネットワークを介して上記画像形成装置と通信するホスト装置側通信手段と、ジョブを保存する記憶手段と、画像形成装置にジョブを送る際に、ジョブの保存期間を指定する保存期間指定情報と当該ホスト装置を特定するホスト装置情報とともにジョブを上記ホスト装置側通信手段により送信する制御を行い、上記保存期間指定情報とともにホスト装置情報とともに受け取ったジョブをジョブ保存手段に保存し、上記ジョブ保存手段に保存したジョブを上記保存期間指定情報に基づいて管理する上記画像形成装置から、上記ジョブ保存手段に保存したジョブの保存期間が終了した場合に送信されてくる上記ホスト装置情報により特定される上記ホスト装置に上記ジョブの保存期間が終了したことを通知するジョブ保存期間終了通知を上記保存期間が終了したジョブを特定するジョブ情報と上記画像形成装置を特定する画像形成装置情報とともに受け取ると、上記ジョブ情報で特定されるジョブを検索し、上記ジョブ情報で特定されたジョブの送信依頼を上記画像形成装置情報で特定される上記画像形成装置にホスト装置を特定するホスト装置情報と上記ジョブ情報とともに上記ホスト装置側通信手段により送信する制御を行い、上記ジョブ情報で特定されたジョブの送信依頼を上記ホスト装置情報と上記ジョブ情報とともに受け取った上記画像形成装置から、上記送信依頼により指定したジョブを上記画像形成装置情報とともに受け取ると、受け取ったジョブを記憶手段に保存した後に、上記ジョブの保存完了通知を上記画像形成装置情報で特定される上記画像形成装置に上記ホスト装置側通信手段により送信する制御を行うホスト装置側制御手段を備え、上記画像形成装置は、ジョブを保存するジョブ保存手段と、上記ネットワークを介して上記ホスト装置と通信する画像形成装置側通信手段と、上記ネットワーク上のホスト装置から送信されてくるジョブの保存期間を指定する保存期間指定情報と当該ホスト装置を特定するホスト装置情報とともにジョブとともに受け取ると、受け取ったジョブをジョブ保存手段に保存し、上記ジョブ保存手段に保存したジョブを上記保存期間指定情報に基づいて管理し、上記ジョブ保存手段に保存したジョブの保存期間が終了した場合に、上記ホスト装置情報により特定される上記ホスト装置に上記ジョブの保存期間が終了したことを通知するジョブ保存期間終了通知を上記保存期間が終了したジョブを特定するジョブ情報と画像形成装置を特定する画像形成装置情報とともに上記画像形成装置側通信手段により送信する制御を行い、上記ジョブ保存期間終了通知を上記ジョブ情報と上記画像形成装置情報とともに受け取ったホスト装置から送信されてくる上記ジョブ情報で特定されたジョブの送信依頼を上記ホスト装置を特定するホスト装置情報と上記ジョブ情報とともに受け取ると、上記ジョブ情報により特定されるジョブを上記ジョブ保存手段から読み出して上記ホスト装置情報で特定される上記ホスト装置に上記画像形成装置情報とともに上記画像形成装置側通信手段により送信する制御を行い、上記送信依頼により指定したジョブを上記画像形成装置情報とともに受け取る受け取ったホスト装置から受け取ったジョブを記憶手段に保存した後に送信されてくる上記ジョブの保存完了通知を受け取ると、上記保存完了通知により指定されたジョブを上記ジョブ保存手段から削除する制御を行う画像形成装置側制御手段を備えることを特徴とする。
【００１６】
また、本発明は、ホスト装置にネットワークを介して画像形成装置が接続されてなる画像形成システムにおける画像形成装置であって、ジョブを保存するジョブ保存手段と、上記ネットワークを介して上記ホスト装置と通信する画像形成装置側通信手段と、上記ネットワーク上のホスト装置から送信されてくるジョブの保存期間を指定する保存期間指定情報と当該ホスト装置を特定するホスト装置情報とともにジョブとともに受け取ると、受け取ったジョブをジョブ保存手段に保存し、上記ジョブ保存手段に保存したジョブを上記保存期間指定情報に基づいて管理し、上記ジョブ保存手段に保存したジョブの保存期間が終了した場合に、上記ホスト装置情報により特定される上記ホスト装置に上記ジョブの保存期間が終了したことを通知するジョブ保存期間終了通知を上記保存期間が終了したジョブを特定するジョブ情報と画像形成装置を特定する画像形成装置情報とともに上記画像形成装置側通信手段により送信する制御を行い、上記ジョブ保存期間終了通知を上記ジョブ情報と上記画像形成装置情報とともに受け取ったホスト装置から送信されてくる上記ジョブ情報で特定されたジョブの送信依頼を上記ホスト装置を特定するホスト装置情報と上記ジョブ情報とともに受け取ると、上記ジョブ情報により特定されるジョブを上記ジョブ保存手段から読み出して上記ホスト装置情報で特定される上記ホスト装置に上記画像形成装置情報とともに上記画像形成装置側通信手段により送信する制御を行い、上記送信依頼により指定したジョブを上記画像形成装置情報とともに受け取る受け取ったホスト装置から受け取ったジョブを記憶手段に保存した後に送信されてくる上記ジョブの保存完了通知を受け取ると、上記保存完了通知により指定されたジョブを上記ジョブ保存手段から削除する制御を行う画像形成装置側制御手段を備えることを特徴とする。
【００１７】
また、本発明は、ホスト装置にネットワークを介して画像形成装置が接続されてなる画像形成システムにおける画像形成制御プログラムであって、画像形成装置が電源をオフする際に、上記電源をオフすることを通知する電源オフ通知をジョブ保存手段に保存されているジョブを特定するジョブ情報と当該画像形成装置を特定する画像形成装置情報とともに上記ネットワーク上のホスト装置に送信する制御を上記画像形成装置に備えられたコンピュータに実行させ、上記画像形成装置から電源オフ通知を上記ジョブ情報と上記画像形成装置情報とともに受け取ると、上記ジョブ情報で特定されるジョブを検索し、上記ジョブ情報で特定されたジョブの送信依頼を上記画像形成装置情報で特定される上記画像形成装置にホスト装置を特定するホスト装置情報と上記ジョブ情報とともに送信する制御を上記ホスト装置に備えられたコンピュータに実行させ、上記電源オフ通知を受け取ったホスト装置から、上記ジョブ情報で特定されたジョブの送信依頼を上記ホスト装置情報と上記ジョブ情報とともに受け取ると、上記ジョブ情報により特定されるジョブを上記ジョブ保存手段から読み出して上記ホスト装置情報で特定される上記ホスト装置に上記画像形成装置情報とともに送信する制御を上記画像形成装置に備えられたコンピュータに実行させ、上記ジョブの送信依頼を受け取った上記画像形成装置から上記送信依頼により指定したジョブを上記画像形成装置情報とともに受け取ると、受け取ったジョブを記憶手段に保存した後に、上記ジョブの保存完了通知を上記画像形成装置情報で特定される上記画像形成装置に送信する制御を上記ホスト装置に備えられたコンピュータに実行させ、上記ジョブを受け取った上記ホスト装置から上記ジョブの保存完了通知を受け取ると、上記保存完了通知により指定されたジョブを上記ジョブ保存手段から削除した後に、電源をオフする制御を上記画像形成装置に備えられたコンピュータに実行させることを特徴とする。
【００１８】
本発明に係る画像形成制御プログラムは、さらに、上記画像形成装置が電源をオンした際に、上記電源をオフする際に上記ジョブの保存完了通知を送信してきた上記ホスト装置に上記電源をオンすることを通知する電源オン通知を上記画像形成装置情報とともに送信する制御を上記画像形成装置に備えられたコンピュータに実行させ、上記画像形成装置から上記電源オン通知を上記画像形成装置情報とともに受け取ると、上記画像形成装置情報で特定される画像形成装置の電源オフの際に上記画像形成装置から受け取って上記記憶手段に記憶したジョブを読み出し、ジョブの送信指示を受け付けて、上記記憶手段から読み出したジョブを上記画像形成装置情報で特定される上記画像形成装置に上記ジョブを特定するジョブ情報と上記ホスト情報とともに送信する制御を上記ホスト装置に備えられたコンピュータに実行させ、上記電源オン通知を受け取ったホスト装置から上記ジョブを上記ジョブ情報と上記ホスト情報とともに受け取ると、受け取ったジョブを上記ジョブ保存手段に保存した後に、上記ジョブの保存完了通知を上記ホスト情報で特定される上記ホスト装置に送信する制御を上記画像形成装置に備えられたコンピュータに実行させるものとすることができる。
【００１９】
また、本発明は、ホスト装置にネットワークを介して画像形成装置が接続されてなる画像形成システムにおける上記ホスト装置に備えられたコンピュータに実行される画像形成制御プログラムであって、画像形成装置が電源をオフする際に、上記画像形成装置からネットワークを介して送信されてくる上記電源をオフすることを通知する電源オフ通知を上記画像形成装置のジョブ保存手段に保存されているジョブを特定するジョブ情報と上記画像形成装置を特定する画像形成装置情報とともに受け取ると、上記ジョブ情報で特定されるジョブを検索し、上記ジョブ情報で特定されたジョブの送信依頼を上記画像形成装置情報で特定される上記画像形成装置にホスト装置を特定するホスト装置情報と上記ジョブ情報とともに送信する制御を上記コンピュータに実行させ、上記ジョブの送信依頼を受け取った上記画像形成装置から上記送信依頼により指定したジョブを上記画像形成装置を特定する画像形成装置情報とともに受け取ると、受け取ったジョブを記憶手段に保存した後に、上記ジョブの保存完了通知を上記画像形成装置情報で特定される上記画像形成装置に送信する制御を上記コンピュータに実行させることを特徴とする。
【００２０】
本発明に係る画像形成制御プログラムは、さらに、画像形成装置が電源をオンした際に、上記電源をオンすることを通知する電源オン通知を上記画像形成装置を特定する画像形成装置情報とともに受け取ると、上記画像形成装置情報で特定される画像形成装置の電源オフの際に上記画像形成装置から受け取って上記記憶手段に記憶したジョブを読み出し、ジョブの送信指示を受け付けて、上記記憶手段から読み出したジョブを上記画像形成装置情報で特定される上記画像形成装置に上記ジョブを特定するジョブ情報と上記ホスト情報とともに送信する制御を上記コンピュータに実行させるものとすることができる。
【００２１】
また、本発明は、ホスト装置にネットワークを介して画像形成装置が接続されてなる画像形成システムにおける上記画像形成装置に備えられたコンピュータに実行される画像形成制御プログラムであって、電源をオフする際に、上記電源をオフすることを通知する電源オフ通知をジョブ保存手段に保存されているジョブを特定するジョブ情報と当該画像形成装置を特定する画像形成装置情報とともに上記ネットワーク上のホスト装置に送信する制御を上記コンピュータに実行させ、上記電源オフ通知を受け取ったホスト装置から、上記ジョブ情報で特定されたジョブの送信依頼を上記ホスト装置を特定するホスト装置情報と上記ジョブ情報とともに受け取ると、上記ジョブ情報により特定されるジョブを上記ジョブ保存手段から読み出して上記ホスト装置情報で特定される上記ホスト装置に上記画像形成装置情報とともに送信する制御を上記コンピュータに実行させ、上記ジョブを受け取った上記ホスト装置から受け取ったジョブを記憶手段に保存したことを示す上記ジョブの保存完了通知を受け取ると、上記保存完了通知により指定されたジョブを上記ジョブ保存手段から削除した後に、電源をオフする制御を上記コンピュータに実行させることを特徴とする。
【００２２】
本発明に係る画像形成制御プログラムは、さらに、電源をオンした際に、上記電源をオフする際に上記ジョブの保存完了通知を送信してきた上記ホスト装置に上記電源をオンすることを通知する電源オン通知を上記画像形成装置情報とともに送信する制御を上記コンピュータに実行させ、上記電源オン通知を受け取ったホスト装置から上記電源オフの際に受け取ったジョブを上記ジョブを特定するジョブ情報と上記ホスト情報とともに受け取ると、受け取ったジョブを上記ジョブ保存手段に保存した後に、上記ジョブの保存完了通知を上記ホスト情報で特定される上記ホスト装置に送信する制御を上記コンピュータに実行させるものとすることができる。
【００２３】
また、本発明は、ホスト装置にネットワークを介して画像形成装置が接続されてなる画像形成システムにおける画像形成制御プログラムであって、ホスト装置から画像形成装置にジョブを送る際に、ジョブの保存期間を指定する保存期間指定情報と当該ホスト装置を特定するホスト装置情報とともにジョブを送信する制御を上記ホスト装置に備えられたコンピュータに実行させ、上記ホスト装置から上記保存期間指定情報とともにホスト装置情報とともに受け取ったジョブをジョブ保存手段に保存し、上記ジョブ保存手段に保存したジョブを上記保存期間指定情報に基づいて管理し、上記ジョブ保存手段に保存したジョブの保存期間が終了した場合に、上記ホスト装置情報により特定される上記ホスト装置に上記ジョブの保存期間が終了したことを通知するジョブ保存期間終了通知を上記保存期間が終了したジョブを特定するジョブ情報と画像形成装置を特定する画像形成装置情報とともに送信する制御を上記画像形成装置に備えられたコンピュータに実行させ、上記画像形成装置から上記ジョブ保存期間終了通知を上記ジョブ情報と上記画像形成装置情報とともに受け取ると、上記ジョブ情報で特定されるジョブを検索し、上記ジョブ情報で特定されたジョブの送信依頼を上記画像形成装置情報で特定される上記画像形成装置にホスト装置を特定するホスト装置情報と上記ジョブ情報とともに送信する制御を上記ホスト装置に備えられたコンピュータに実行させ、上記ホスト装置から上記ジョブ情報で特定されたジョブの送信依頼を上記ホスト装置情報と上記ジョブ情報とともに受け取ると、上記ジョブ情報により特定されるジョブを上記ジョブ保存手段から読み出して上記ホスト装置情報で特定される上記ホスト装置に上記画像形成装置情報とともに送信する制御を上記画像形成装置に備えられたコンピュータに実行させ、上記画像形成装置から上記送信依頼により指定したジョブを上記画像形成装置情報とともに受け取ると、受け取ったジョブを記憶手段に保存した後に、上記ジョブの保存完了通知を上記画像形成装置情報で特定される上記画像形成装置に送信する制御を上記ホスト装置に備えられたコンピュータに実行させ、上記ジョブを受け取った上記ホスト装置から上記ジョブの保存完了通知を受け取ると、上記保存完了通知により指定されたジョブを上記ジョブ保存手段から削除する制御を上記画像形成装置に備えられたコンピュータに実行させことを特徴とする。
【００２４】
また、本発明は、ホスト装置にネットワークを介して画像形成装置が接続されてなる画像形成システムにおける上記ホスト装置に備えられたコンピュータにより実行される画像形成制御プログラムであって、画像形成装置にジョブを送る際に、ジョブの保存期間を指定する保存期間指定情報と当該ホスト装置を特定するホスト装置情報とともにジョブを送信する制御を上記コンピュータに実行させ、上記保存期間指定情報とともにホスト装置情報とともに受け取ったジョブをジョブ保存手段に保存し、上記ジョブ保存手段に保存したジョブを上記保存期間指定情報に基づいて管理する上記画像形成装置から、上記ジョブ保存手段に保存したジョブの保存期間が終了した場合に送信されてくる上記ホスト装置情報により特定される上記ホスト装置に上記ジョブの保存期間が終了したことを通知するジョブ保存期間終了通知を上記保存期間が終了したジョブを特定するジョブ情報と上記画像形成装置を特定する画像形成装置情報とともに受け取ると、上記ジョブ情報で特定されるジョブを検索し、上記ジョブ情報で特定されたジョブの送信依頼を上記画像形成装置情報で特定される上記画像形成装置にホスト装置を特定するホスト装置情報と上記ジョブ情報とともに送信する制御を上記コンピュータに実行させ、上記ジョブ情報で特定されたジョブの送信依頼を上記ホスト装置情報と上記ジョブ情報とともに受け取った上記画像形成装置から、上記送信依頼により指定したジョブを上記画像形成装置情報とともに受け取ると、受け取ったジョブを記憶手段に保存した後に、上記ジョブの保存完了通知を上記画像形成装置情報で特定される上記画像形成装置に送信する制御を上記ホスト装置に備えられたコンピュータに実行させることを特徴とする。
【００２５】
さらに、本発明は、ホスト装置にネットワークを介して画像形成装置が接続されてなる画像形成システムにおける上記画像形成装置に備えられたコンピュータにより実行される画像形成制御プログラムであって、ホスト装置から送信されてくるジョブの保存期間を指定する保存期間指定情報と当該ホスト装置を特定するホスト装置情報とともにジョブとともに受け取ると、受け取ったジョブをジョブ保存手段に保存し、上記ジョブ保存手段に保存したジョブを上記保存期間指定情報に基づいて管理し、上記ジョブ保存手段に保存したジョブの保存期間が終了した場合に、上記ホスト装置情報により特定される上記ホスト装置に上記ジョブの保存期間が終了したことを通知するジョブ保存期間終了通知を上記保存期間が終了したジョブを特定するジョブ情報と画像形成装置を特定する画像形成装置情報とともに送信する制御を上記コンピュータに実行させ、上記ジョブ保存期間終了通知を上記ジョブ情報と上記画像形成装置情報とともに受け取ったホスト装置から送信されてくる上記ジョブ情報で特定されたジョブの送信依頼を上記ホスト装置を特定するホスト装置情報と上記ジョブ情報とともに受け取ると、上記ジョブ情報により特定されるジョブを上記ジョブ保存手段から読み出して上記ホスト装置情報で特定される上記ホスト装置に上記画像形成装置情報とともに送信する制御を上記コンピュータに実行させ、上記送信依頼により指定したジョブを上記画像形成装置情報とともに受け取る受け取ったホスト装置から受け取ったジョブを記憶手段に保存した後に送信されてくる上記ジョブの保存完了通知を受け取ると、上記保存完了通知により指定されたジョブを上記ジョブ保存手段から削除する制御を上記コンピュータに実行させことを特徴とする。
【発明の効果】
【００２６】
本発明では、画像形成装置の電源がオフされるタイミングで画像形成装置からジョブを吸い上げることが可能となるので、保存しているジョブが長時間放置され、記憶媒体の容量が圧迫される可能性が低くなる。また、長期間に渡って画像形成装置内にジョブが放置されることを回避する画像形成システムを提供できる。これによってセキュリティの向上が図ることができる。
【発明を実施するための最良の形態】
【００２７】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００２８】
本発明は、例えば図１に示すようにホスト装置１０と画像形成装置２０がＬＡＮなどのネットワーク３０を介して相互に通信可能に接続されてなる画像形成システム１００に適用される。
【００２９】
この画像形成システム１００において、ホスト装置１０は、例えば、所謂パーソナルコンピュータからなり、図２に示すように、装置全体の制御および各種演算処理を行うＣＰＵからなる制御部１１、制御プログラムやデータを格納するためのＲＯＭ(Read Only Memory)１２、作業領域として一時的にプログラムやデータを記憶するためのＲＡＭ(Random Access Memory)１３、各種のプログラムやデータを保存するための外部記憶装置としてのハードディスク１４、各種情報の表示のための液晶ディスプレイなどの表示部１５、各種指示の入力のためのキーボードやマウスなどからなる入力部１６、上記ネットワーク３０に接続するためのＬＡＮカードなどのネットワークインターフェースからなる通信部１７等がバス１８を介して相互に接続されてなる。
【００３０】
また、上記画像形成装置２０は、コピー、プリント、スキャン、ファクシミリ送信及びファクシミリ受信機能を有する所謂複合機であって、図３に示すように、装置全体の動作制御を司るＣＰＵを中心とする制御部２１を備え、この制御部２１に印刷部２２、原稿読取部２３、操作表示部２４、ジョブ保存部２５、ジョブ削除部２６、ジョブ情報管理部２７、タイマ部２８、上記ネットワーク３０に接続するためのＬＡＮカードなどのネットワークインターフェースからなる通信部２９等が接続されている。
【００３１】
制御部２１は、図４に示すように、画像形成装置２０の制御プログラムを記憶するＲＯＭ２１１、一時的にデータを保管するＲＡＭ２１２、更新可能な各種設定データなどを保管するＥＥＰＲＯＭ（Electrically Erasable Programmable ROM）２１３及び制御プログラム等を上記ＲＯＭ２１１から読み出して実行するマイクロコンピュータ２１４、等からなり、操作表示部２４等において入力された所定の指示情報や、本装置の各所に設けられた各種センサからの検出信号に応じて装置全体の制御を行う。
【００３２】
印刷部２２は、ジョブを出力用紙に印刷する画像形成処理を行うものであって、図示しないプリンタコントローラ、レーザ走査ユニットや定着ローラ等からなる。
【００３３】
原稿読取部２３は、原稿の読み取りを行って当該原稿に対応する画像データを生成するものであって、光学的に取得した原稿の画像から画像データを生成するＣＣＤ(Charge Coupled Device)センサ及び露光ランプ等を備えたスキャナやコンタクトガラス等からなり、コンタクトガラス上に載置された原稿を走査しつつ取得した画像データを制御部２１へ出力する。
【００３４】
操作表示部２４は、ユーザの操作に応じて所定の指示入力を行うものであって、図示しない、ユーザが印刷実行指示を入力するためのスタートキーと、印刷部数等を入力するためのテンキーと、各種複写動作の設定等を入力するための操作ガイド情報等を表示する種々の操作ボタン等が表示される液晶表示器（ＬＣＤ）を備えている。
【００３５】
ジョブ保存部２５は、ユーザが当該画像形成装置２０に保存依頼を出したジョブを保存する。
【００３６】
ジョブ削除部２６は、上記ジョブ保存部２５に保存されているジョブを上記制御部２１の指示に従い削除する処理を行うもので、この画像形成装置２０では、ホスト電源オフ通知に対して、上記ジョブ保存部２５からジョブを読み出してホスト装置１０に送信後、送信したジョブを上記ジョブ保存部２５から削除する。なお、上記ジョブを削除する処理は、そのジョブの記録領域を開放して上書きを許可する処理であってもよい。
【００３７】
ジョブ情報管理部２７は、当該画像形成装置２０内に保存しているジョブの管理を行う。ジョブに付随するジョブ保存ホスト情報(ＩＰアドレス等)もここで管理する。
【００３８】
タイマ部２８は、画像形成装置２０内での各ジョブの保存期間を確定するための時計機能を備えている。
【００３９】
通信部２９は、ネットワーク３０を通してホスト装置１０との間で通信行うものであって、ジョブの送受信を行うジョブ送信部２９Ａ、画像形成装置２０の電源オフおよびオン時にホスト装置１０にその旨の通知を行い、また、ジョブの格納通知の送信、ホストのジョブ保存完了通知の受信を行う画像形成装置状態通知部２９Ｂ等からなる。
【００４０】
この画像形成システム１００において、ホスト装置１０の制御部１１及び画像形成装置２０の制御部２１は、制御プログラムにしたがって、画像形成装置２０の電源オフの際に、図５のフローチャートに示す手順で終了処理を実行する。
【００４１】
すなわち、画像形成装置２０の制御部２１は、電源をオフする際に、先ず、上記電源をオフすることを通知する電源オフ通知をジョブ保存部２５に保存されているジョブを特定するジョブ名称やジョブＩＤ等のジョブ情報と当該画像形成装置２０を特定するＩＰアドレス等の画像形成装置情報とともに上記ネットワーク３０上のホスト装置１０に通信部２９により送信する制御を行う（ステップＳ１）。
【００４２】
次に、ネットワーク３０上のホスト装置１０の制御部１１は、上記画像形成装置２０からの電源オフ通知を上記画像形成装置情報とジョブ情報とともに受け取ると、上記画像形成装置２０から送られてきたジョブ情報と合致するジョブがハードディスク１４に保存されているか否か検索し（ステップＳ２）、ジョブを保存していれば、上記画像形成装置情報により特定される上記画像形成装置２０にそのジョブの送信を依頼する送信依頼を通信部１７により送信する制御を行う（ステップＳ３）。その際に、ホスト装置１０のＩＰアドレス等のホスト情報と上記ジョブのジョブ情報を上記ジョブの送信依頼とともに送信する。
【００４３】
次に、上記画像形成装置２０の制御部２１は、上記電源オフ通知を受け取ったホスト装置１０から、上記ジョブ情報で特定されたジョブの送信依頼を上記ホスト装置情報と上記ジョブ情報とともに受け取ると、上記ジョブ情報により特定されるジョブを上記ジョブ保存部２５から読み出して上記ホスト装置情報で特定される上記ホスト装置１１０に上記画像形成装置情報とともに上記通信部２９により送信する制御を行う（ステップＳ４）。
【００４４】
次に、上記ホスト装置１０の制御部１１は、上記ジョブの送信依頼を受け取った上記画像形成装置２０から上記送信依頼により指定したジョブを上記画像形成装置情報とともに受け取ると、受け取ったジョブをハードディスク１４に保存した後に（ステップＳ５）、上記ジョブの保存完了を示す保存完了通知を上記画像形成装置情報で特定される上記画像形成装置２０に上記通信部１７により送信する制御を行う（ステップＳ６）。
【００４５】
そして、上記画像形成装置２０の制御部２１は、上記ジョブを受け取った上記ホスト装置１０から上記ジョブの保存完了通知を受け取ると、上記保存完了通知により指定されたジョブを上記ジョブ保存部２５から削除した後に、電源をオフする制御を行う（ステップＳ７）。
【００４６】
また、この画像形成システム１００において、ホスト装置１０の制御部１１及び画像形成装置２０の制御部２１は、制御プログラムにしたがって、画像形成装置２０の電源オンの際に、図６のフローチャートに示す手順で開始処理を実行する。
【００４７】
すなわち、上記画像形成装置２０の制御部２１は、電源をオンした際に、上記電源をオフする際に上記ジョブの保存完了通知を送信してきた上記ホスト装置１０に上記電源をオンすることを通知する電源オン通知を上記画像形成装置情報とともに上記通信部２９により送信する制御を行う（ステップＳ１１）。
【００４８】
また、上記ホスト装置１０の制御部１１は、上記画像形成装置２０から上記電源オン通知を上記画像形成装置情報とともに受け取ると、上記画像形成装置情報で特定される画像形成装置の電源オフの際に上記画像形成装置２０から受け取って上記ハードディスク１４に記憶したジョブを読み出し、ユーザが入力部１６を操作することにより与えられるジョブの送信指示を受け付けて（ステップＳ１２）、送信指示が有った場合に、上記ハードディスク１４から読み出したジョブを上記画像形成装置情報で特定される上記画像形成装置２０に上記ジョブを特定するジョブ情報と上記ホスト情報とともに上記通信部１７により送信する制御を行う（ステップＳ１３）。
【００４９】
そして、上記画像形成装置２０の制御部２１は、上記電源オン通知を受け取ったホスト装置１０から上記ジョブを上記ジョブ情報と上記ホスト情報とともに受け取ると、受け取ったジョブを上記ジョブ保存部２５に保存する（ステップＳ１４）。上記ジョブの保存が終了したら、上記ホスト情報で特定される上記ホスト装置１０に上記ジョブの保存完了通知を上記通信部２９により送信する制御を行う（ステップＳ１５）。
【００５０】
すなわち、この画像形成システム１００におけるホスト装置１０は、上記ネットワーク３０を介して接続された画像形成装置２０が電源をオフする際に、上記画像形成装置２０から上記ネットワーク３０を介して送信されてくる上記電源をオフすることを通知する電源オフ通知を上記画像形成装置２０のジョブ保存部２５に保存されているジョブを特定するジョブ情報と上記画像形成装置２０を特定する画像形成装置情報とともに受け取ると、上記ジョブ情報で特定されるジョブを検索し（ステップＳ２）、上記ジョブ情報で特定されたジョブの送信依頼を上記画像形成装置情報で特定される上記画像形成装置２０に当該ホスト装置１０を特定するホスト装置情報と上記ジョブ情報とともに上記通信部１７により送信する制御を行い（ステップ３）、上記ジョブの送信依頼を受け取った上記画像形成装置２０から上記送信依頼により指定したジョブを上記画像形成装置２０を特定する画像形成装置情報とともに受け取ると、受け取ったジョブを上記ハードディスク１４に保存した後に（ステップ５）、上記ジョブの保存完了通知を上記画像形成装置情報で特定される上記画像形成装置２０に上記通信部１７により送信する制御を行う（ステップ６）制御部１１を備え、この制御部１１により、上記ネットワーク３０上の画像形成装置２０の電源をオフする際に、上記電源をオフする画像形成装置２０からジョブを吸い上げる終了処理を行う。
【００５１】
さらに、この画像形成システム１００におけるホスト装置１０は、上記ネットワーク３０を介して接続された画像形成装置２０が電源をオンした際に、上記電源をオンしたことを通知する電源オン通知を上記画像形成装置２０を特定する画像形成装置情報とともに受け取ると、上記画像形成装置情報で特定される画像形成装置２０の電源オフの際に上記画像形成装置２０から受け取って上記ハードディスク１４に記憶したジョブを読み出し、ジョブの送信指示を受け付けて（ステップ１２）、上記ハードディスク１４から読み出したジョブを上記画像形成装置情報で特定される上記画像形成装置２０に上記ジョブを特定するジョブ情報と上記ホスト情報とともに上記通信部１７により送信する制御を行う（ステップ１３）制御部１１を備え、この制御部１１により、上記ネットワーク３０上の画像形成装置２０の電源がオンされた際に、上記画像形成装置２０の電源がオフされた際に吸い上げたジョブを元の保存状態に戻す開始処理を行う。
【００５２】
また、この画像形成システム１００における画像形成装置２０は、電源をオフする際に、上記電源をオフすることを通知する電源オフ通知をジョブ保存部２５に保存されているジョブを特定するジョブ情報と当該画像形成装置２０を特定する画像形成装置情報とともに上記ネットワーク３０上のホスト装置１０に通信部２９により送信する制御を行い（ステップＳ１）、上記電源オフ通知を受け取ったホスト装置１０から、上記ジョブ情報で特定されたジョブの送信依頼を上記ホスト装置１０を特定するホスト装置情報と上記ジョブ情報とともに受け取ると、上記ジョブ情報により特定されるジョブを上記ジョブ保存部２５から読み出して上記ホスト装置情報で特定される上記ホスト装置１０に上記画像形成装置情報とともに上記通信部２９により送信する制御を行い（ステップＳ４）、上記ジョブを受け取った上記ホスト装置１０から受け取ったジョブをハードディスク１４に保存したことを示す上記ジョブの保存完了通知を受け取ると、上記保存完了通知により指定されたジョブを上記ジョブ保存部２５から削除した後に、電源をオフする制御を行う（ステップＳ７）、制御部２１を備え、この制御部２１により、電源をオフする際に、上記ネットワーク３０上のジョブの持ち主のホスト装置１０にジョブを吸い上げさせる終了処理を行う。
【００５３】
さらに、この画像形成システム１００における画像形成装置２０は、電源をオンした際に、上記電源をオフした際に上記ジョブの保存完了通知を送信してきた上記ホスト装置１０に上記電源をオンすることを通知する電源オン通知を上記画像形成装置情報とともに上記通信部２９により送信する制御を行い（ステップＳ１１）、上記電源オン通知を受け取ったホスト装置１０から上記電源オフの際に受け取ったジョブを上記ジョブを特定するジョブ情報と上記ホスト情報とともに受け取ると、受け取ったジョブを上記ジョブ保存部２５に保存した後に（ステップＳ１４）、上記ジョブの保存完了通知を上記ホスト情報で特定される上記ホスト装置１０に上記通信部２９により送信する制御行う（ステップＳ１５）制御部２１を備え、この制御部２１により、上記ネットワーク３０上の画像形成装置２０の電源をオンする際に、上記画像形成装置２０の電源をオフした際にネットワーク３０上のジョブの持ち主のホスト装置１０に吸い上げられたジョブを元の保存状態に戻す開始処理を行う。
【００５４】
このように、この画像形成システム１００では、上記ネットワーク３０上の画像形成装置２０の電源がオフされるタイミングで、電源がオフされる画像形成装置２０に保存されているジョブをその持ち主のホスト装置１０が吸い上げることができ、画像形成装置２０内にジョブが放置されることを回避することができる。これにより、例えば、夜間、ユーザが帰宅する際、長期休暇、ある期間が過ぎたとき、指定した日時などに画像形成装置２０の電源をオフする際に、画像形成装置２０に保存しているデータを保存者のホスト装置１０に送信することで、画像形成装置２０内にはジョブが存在しない状態にすることができる。
【００５５】
そして、電源オフ時に吸い上げたジョブがホスト装置１０内に保存されている場合には、画像形成装置２０の電源がオンされると、上記電源オフ時に吸い上げたジョブを元の画像形成装置２０に送って、電源オフの前のジョブの保存状態に戻すことができる。
【００５６】
これによって画像形成システム１００におけるセキュリティの向上を図ることができる。
【００５７】
なお、ホスト装置１０で、吸い上げたジョブのデータ更新が行われた場合には、そのデータに関連する他のホスト装置に更新の旨を通知する。
【００５８】
また、この画像形成システム１００における画像形成装置２０は、ネットワーク３０上の複数のホスト装置のジョブを上記ジョブ保存部２５に保存している場合に、電源がオフされた画像形成装置２０のジョブが吸い上げられ、そのジョブが上記ジョブ保存部２５から削除、または、そのジョブの記録領域が開放され上書きが許可されることによって、その分だけ、データの保存容量を確保することができる。
【００５９】
さらに、この画像形成システム１００では、図７のフローチャートに示すように、ホスト装置１０の制御部１１により通信部１７を制御してネットワーク３０上の複数の画像形成装置２０にポーリング要求を送信し、上記ネットワーク３０上の複数の画像形成装置２０の各制御部２１が、上記ポーリング要求に応じて上記通信部２９により上記電源オフ通知、又は上記電源オン通知を送信する制御を行うようにすることによって、上記ホスト装置１０が、ネットワーク３０上の複数の画像形成装置２０について電源のオフまたはオンをポーリングで監視して、電源オフ通知のあった画像形成装置２０との間で上述の如き終了処理（ステップＳ１〜ステップＳ７）を実行し、また、電源オフ通知のあった画像形成装置２０との間で上述の如き開始処理（ステップＳ１１〜ステップＳ１５）を実行するようにするようにしてもよい。
【００６０】
また、この画像形成システム１００では、図８のフローチャートに示すように、ホスト装置１０の制御部１１は、当該ホスト装置１０からネットワーク３０上の画像形成装置２０にジョブを送る際に、ジョブの保存期間を指定する保存期間指定情報と当該ホスト装置を特定するホスト装置情報とともにジョブを上記ホスト装置側通信手段により送信する制御を行う（ステップＳ２１）。
【００６１】
そして、上記画像形成装置２０の制御部２１は、上記ネットワーク３０上のホスト装置１０から送信されてくるジョブの保存期間を指定する保存期間指定情報と当該ホスト装置を特定するホスト装置情報とともにジョブとともに受け取ると、受け取ったジョブをジョブ保存部２５に保存し、上記ジョブ保存部２５に保存したジョブを上記保存期間指定情報に基づいてタイマ部２８により管理し（ステップＳ２２）、上記ジョブ保存部２５に保存したジョブの保存期間が終了した場合に、上記ホスト装置情報により特定される上記ホスト装置１０に上記ジョブの保存期間が終了したことを通知するジョブ保存期間終了通知を上記保存期間が終了したジョブを特定するジョブ情報と当該画像形成装置２０を特定する画像形成装置情報とともに上記通信部２９により送信する制御を行う（ステップＳ２３）。
【００６２】
また、上記ホスト装置１０の制御部１１は、上記画像形成装置２０から、上記ジョブ保存部２５に保存したジョブの保存期間が終了した場合に上記ホスト装置情報により特定される送信先に送信されてくる上記ジョブの保存期間が終了したことを通知するジョブ保存期間終了通知を上記保存期間が終了したジョブを特定するジョブ情報と上記画像形成装置を特定する画像形成装置情報とともに受け取ると、上記ジョブ情報で特定されるジョブを検索し（ステップＳ２４）、上記ジョブ情報で特定されたジョブの送信依頼を上記画像形成装置情報で特定される上記画像形成装置２０に当該ホスト装置１０を特定するホスト装置情報と上記ジョブ情報とともに上記通信部１７により送信する制御を行う（ステップＳ２５）。
【００６３】
そして、上記画像形成装置２０の制御部２１は、上記ホスト装置１０から送信されてくる上記ジョブ情報で特定されたジョブの送信依頼を上記ホスト装置１０を特定するホスト装置情報と上記ジョブ情報とともに受け取ると、上記ジョブ情報により特定されるジョブを上記ジョブ保存部２５から読み出して上記ホスト装置情報で特定される上記ホスト装置１０に上記画像形成装置情報とともに上記通信部２９により送信する制御を行う（ステップＳ２８）。
【００６４】
さらに、上記ホスト装置１０の制御部１１は、上記ジョブ情報で特定されたジョブの送信依頼を上記ホスト装置情報と上記ジョブ情報とともに受け取った上記画像形成装置２０から、上記送信依頼により指定したジョブを上記画像形成装置情報とともに受け取ると、受け取ったジョブをハードディスク１４に保存した後に（ステップＳ２７）、上記ジョブの保存完了通知を上記画像形成装置情報で特定される上記画像形成装置２０に上記通信部１７により送信する制御を行う（ステップＳ２８）。
【００６５】
そして、上記画像形成装置２０の制御部２１は、上記送信依頼により指定したジョブを上記画像形成装置情報とともに受け取る受け取ったホスト装置１０から受け取ったジョブを上記ハードディスク１４に保存した後に送信されてくる上記ジョブの保存完了通知を受け取ると、上記保存完了通知により指定されたジョブを上記ジョブ保存部２５から削除する制御を行う（ステップＳ２９）。
【００６６】
すなわち、この画像形成システム１００におけるホスト装置１０では、上記制御部１１により、ネットワーク３０上の画像形成装置２０にジョブを送る際に、ジョブの保存期間を指定する保存期間指定情報と当該ホスト装置を特定するホスト装置情報とともにジョブを上記ホスト装置側通信手段により送信する制御を行い（ステップＳ２１）、上記保存期間指定情報とともにホスト装置情報とともに受け取ったジョブをジョブ保存部２５に保存し、上記ジョブ保存部２５に保存したジョブを上記保存期間指定情報に基づいて管理する上記画像形成装置２０から、上記ジョブ保存部２５に保存したジョブの保存期間が終了した場合に上記ホスト装置情報により特定される送信先に送信されてくる上記ジョブの保存期間が終了したことを通知するジョブ保存期間終了通知を上記保存期間が終了したジョブを特定するジョブ情報と上記画像形成装置２０を特定する画像形成装置情報とともに受け取ると、上記ジョブ情報で特定されるジョブを検索し（ステップＳ２４）、上記ジョブ情報で特定されたジョブの送信依頼を上記画像形成装置情報で特定される上記画像形成装置２０に当該ホスト装置１０を特定するホスト装置情報と上記ジョブ情報とともに上記通信部１７により送信する制御を行い（ステップＳ２５）、上記ジョブ情報で特定されたジョブの送信依頼を上記ホスト装置情報と上記ジョブ情報とともに受け取った上記画像形成装置２０から、上記送信依頼により指定したジョブを上記画像形成装置情報とともに受け取ると、受け取ったジョブをハードディスク１４に保存した後に（ステップＳ２７）、上記ジョブの保存完了通知を上記画像形成装置情報で特定される上記画像形成装置２０に上記通信部１７により送信する制御を行う（ステップＳ２８）。
【００６７】
また、この画像形成システム１００における画像形成装置２０では、上記制御２１により、上記ネットワーク３０上のホスト装置２０から送信されてくるジョブの保存期間を指定する保存期間指定情報と当該ホスト装置２０を特定するホスト装置情報とともにジョブとともに受け取ると、受け取ったジョブをジョブ保存部２５に保存し（ステップＳ２２）、上記ジョブ保存部２５に保存したジョブを上記保存期間指定情報に基づいて管理し、上記ジョブ保存部２５に保存したジョブの保存期間が終了した場合に、上記ホスト装置情報により特定される上記ホスト装置１０に上記ジョブの保存期間が終了したことを通知するジョブ保存期間終了通知を上記保存期間が終了したジョブを特定するジョブ情報と当該画像形成装置２０を特定する画像形成装置情報とともに上記通信部２９により送信する制御を行い（ステップＳ２３）、上記ジョブ保存期間終了通知を上記ジョブ情報と上記画像形成装置情報とともに受け取ったホスト装置１０から送信されてくる上記ジョブ情報で特定されたジョブの送信依頼を上記ホスト装置１０を特定するホスト装置情報と上記ジョブ情報とともに受け取ると、上記ジョブ情報により特定されるジョブを上記ジョブ保存部２５から読み出して上記ホスト装置情報で特定される上記ホスト装置１０に上記画像形成装置情報とともに上記通信部２９により送信する制御を行い（ステップＳ２５）、上記送信依頼により指定したジョブを上記画像形成装置情報とともに受け取る受け取ったホスト装置１０から受け取ったジョブをハードディスク１４に保存した後に送信されてくる上記ジョブの保存完了通知を受け取ると、上記保存完了通知により指定されたジョブを上記ジョブ保存部２５から削除する制御を行う（ステップＳ２９）。
【００６８】
このように、この画像形成システム１００では、ネットワーク３０上のホスト装置１０から画像形成装置２０にジョブを送る際に、ジョブの保存期間を指定する保存期間指定情報と当該ホスト装置１０を特定するホスト装置情報とともにジョブを送信し、上記保存期間指定情報とともにホスト装置情報とともに受け取ったジョブを画像形成装置２０のジョブ保存部２５にジョブを保存し、保存したジョブを上記保存期間指定情報に基づいて管理し、保存期間が終了した場合に、上記画像形成装置２０のから上記ホスト装置情報により特定される上記ホスト装置１０に上記ジョブの保存期間が終了したことを通知するジョブ保存期間終了通知を上記保存期間が終了したジョブを特定するジョブ情報と画像形成装置を特定する画像形成装置情報とともに送信することにより、上記画像形成装置２０に保存されているジョブをその持ち主のホスト装置１０に吸い上げさせることができ、画像形成装置２０内にジョブが放置されることを回避することができる。これにより、ある期間が過ぎたとき、指定した日時などに、画像形成装置２０に保存しているデータを保存者のホスト装置１０に送信することで、画像形成装置２０内にはジョブが存在しない状態にすることができる。
【００６９】
そして、電源オフ時に吸い上げたジョブがホスト装置１０内に保存されている場合には、画像形成装置２０の電源がオンされると、上記電源オフ時に吸い上げたジョブを元の画像形成装置２０に送って、電源オフの前のジョブの保存状態に戻すことができる。
【００７０】
これによって画像形成システム１００におけるセキュリティの向上を図ることができる。
【００７１】
なお、ホスト装置１０で、吸い上げたジョブのデータ更新が行われた場合には、そのデータに関連する他のホスト装置に更新の旨を通知する。
【図面の簡単な説明】
【００７２】
【図１】本発明を適用した画像形成システムの構成を示すブロック図である。
【図２】上記画像形成システムにおけるホスト装置の構成を示すブロック図である。
【図３】上記画像形成システムにおける画像形成装置の構成を示すブロック図である。
【図４】上記画像形成装置の制御部の構成例を示すブロック図である。
【図５】上記画像形成システムにおける終了処理の手順を示すフローチャートである。
【図６】上記画像形成システムにおける開始処理の手順を示すフローチャートである。
【図７】上記画像形成システムにおいて、画像形成装置がネットワーク上の複数のホスト装置をポーリングで監視して、終了処理及び開始処理を行う場合の処理手順を示すフローチャートである。
【図８】上記画像形成システムにおいて、ネットワーク上のホスト装置から画像形成装置にジョブを送る際に上記ジョブの保存期間を指定してジョブの管理を行う場合の処理の手順を示すフローチャートである。
【符号の説明】
【００７３】
１０  ホスト装置、１１  制御部、１２  ＲＯＭ、１３  ＲＡＭ、１４  ハードディスク、１５  表示部、１６  入力部、１７  通信部、１８  バス、２０  画像形成装置、２１  制御部、２２  印刷部、２３  原稿読取部、２４  操作表示部、２５  ジョブ保存部、２６  ジョブ削除部、２７  ジョブ情報管理部、２８  タイマ部、２９  通信部、２９Ａ  ジョブ送信部、２９Ｂ  画像形成装置状態通知部２９Ｂ、３０  ネットワーク、１００  画像形成システム、２１１  ＲＯＭ、２１２  ＲＡＭ、２１３  ＥＥＰＲＯＭ、２１４  マイクロコンピュータ
【図１】
2009141509.tif 000003
【図２】
2009141509.tif 000004
【図３】
2009141509.tif 000005
【図４】
2009141509.tif 000006
【図５】
2009141509.tif 000007
【図６】
2009141509.tif 000008
【図７】
2009141509.tif 000009
【図８】
2009141509.tif 000010